(57)【要約】      （修正有）【課題】摩耗した刃を切削する際、作業性の改善を図った草刈り用回転刃を提供する。【解決手段】草刈り用回転刃５は、間欠的に形成された円盤状の刃板５２の凹部に設けられた切断部は、全て、刈る草に面する側にあって一方の面５２ａに略平行な第一の面と、この第一の面と反対に位置する側にあって他方の面５２ｂに略平行な第二の面と、凹部５１に臨む第三の面と、円盤状の刃板５２の外周縁部と同面の第四の面とを有し、第二の面と第三の面とのなす角度はθ1で、第一の面と第三の面とのなす角度はθ2である。【選択図】図２
0003133565.tif 000002
【実用新案登録請求の範囲】
【請求項１】
外周部に凹部を間欠的に形成すると共に、刈る草に面する側の一方の面と、この一方の面と反対に位置する他方の面を有する円盤状の刃板と、
前記凹部の対向する縁部の内、前記円盤状の刃板の回転方向に対し後方に位置する前記縁部に設けられた切断部と、
間欠的に形成された前記凹部に設けられた切断部は、全て、刈る草に面する側にあって前記一方の面に略平行な第一の面と、この第一の面と反対に位置する側にあって前記他方の面に略平行な第二の面と、前記凹部に臨む第三の面と、前記円盤状の刃板の外周縁部と同面の第四の面とを有し、前記第二の面と前記第三の面とのなす角度はθ1で、前記第一の面と前記第三の面とのなす角度はθ2である
ことを特徴とする草刈り用回転刃。
【請求項２】
外周部に凹部を間欠的に形成すると共に、刈る草に面する側の一方の面と、この一方の面と反対に位置する他方の面を有する円盤状の刃板と、
前記凹部の対向する縁部の内、前記円盤状の刃板の回転方向に対し後方に位置する前記縁部に設けられた切断部と、
間欠的に形成された前記凹部に設けられた切断部は、全て、刈る草に面する側にあって前記一方の面に略平行な第一の面と、この第一の面と反対に位置する側にあって前記他方の面に略平行な第二の面と、前記凹部に臨む第三の面と、前記円盤状の刃板の外周縁部と同面の第四の面とを有し、前記第二の面と前記第三の面とのなす角度は鋭角で、前記第一の面と前記第三の面とのなす角度は鈍角であり、この鈍角の部位は前記鋭角の部位より前記回転方向に対し後方に位置している
ことを特徴とする草刈り用回転刃。
【請求項３】
縁部に設けられた切断部は、前記縁部にろう付けされた超硬合金製のチップであることを特徴とする請求項１又は２記載の草刈り用回転刃。
【請求項４】
第一の面が円盤状の刃板の一方の面より突出しないように取り付けられていることを特徴とする請求項１〜３のいずれかの草刈り用回転刃。
【考案の詳細な説明】
【技術分野】
【０００１】
本考案は、草刈り用回転刃に係り、特に、摩耗した刃を切削する際、作業性の改善を図った草刈り用回転刃に関する。
【背景技術】
【０００２】
鋸の刃が交互に外側に曲がっている「あさり」を有した草刈り用回転刃がある（特許文献１参照）。
【０００３】
しかしながら、この草刈り用回転刃にあっては、鋸の刃の円盤状の面より鋸の刃が交互に突出して設けられているため、鋸の刃の角度が交互に変化している分、摩耗した刃を切削する際、作業性が悪いという問題点があった。
また、鋸の刃の円盤状の面より鋸の刃が交互に突出して設けられているため、特に、鋸の刃の「刈る草に面する側」の円盤状の面より突出する鋸の刃が、地面等に接触して摩耗し易く、摩耗した刃は切れ味が悪くなって、草を切断せず倒すだけで草を刈ることができないという問題点があった。
なお、切れ味が悪くなると、作業者の体力的負担が増加し、作業の能率が低下する。    
【特許文献１】特開平９−１５４３６３号公報
【考案の開示】
【考案が解決しようとする課題】
【０００４】
本考案は、前記した問題点を除去するようにした草刈り用回転刃を提供することを目的としている。
【課題を解決するための手段】
【０００５】
前記した目的を達成するための本考案の草刈り用回転刃は、外周部に凹部を間欠的に形成すると共に、刈る草に面する側の一方の面と、この一方の面と反対に位置する他方の面を有する円盤状の刃板と、前記凹部の対向する縁部の内、前記円盤状の刃板の回転方向に対し後方に位置する前記縁部に設けられた切断部と、間欠的に形成された前記凹部に設けられた切断部は、全て、刈る草に面する側にあって前記一方の面に略平行な第一の面と、この第一の面と反対に位置する側にあって前記他方の面に略平行な第二の面と、前記凹部に臨む第三の面と、前記円盤状の刃板の外周縁部と同面の第四の面とを有し、前記第二の面と前記第三の面とのなす角度はθ1で、前記第一の面と前記第三の面とのなす角度はθ2である。
【０００６】
また、請求項２記載の草刈り用回転刃は、外周部に凹部を間欠的に形成すると共に、刈る草に面する側の一方の面と、この一方の面と反対に位置する他方の面を有する円盤状の刃板と、前記凹部の対向する縁部の内、前記円盤状の刃板の回転方向に対し後方に位置する前記縁部に設けられた切断部と、間欠的に形成された前記凹部に設けられた切断部は、全て、刈る草に面する側にあって前記一方の面に略平行な第一の面と、この第一の面と反対に位置する側にあって前記他方の面に略平行な第二の面と、前記凹部に臨む第三の面と、前記円盤状の刃板の外周縁部と同面の第四の面とを有し、前記第二の面と前記第三の面とのなす角度は鋭角で、前記第一の面と前記第三の面とのなす角度は鈍角であり、この鈍角の部位は前記鋭角の部位より前記回転方向に対し後方に位置しているものである。
【０００７】
また、請求項３記載の草刈り用回転刃は、請求項１又は２記載の草刈り用回転刃において、縁部に設けられた切断部は、前記縁部にろう付けされた超硬合金製のチップである。
【０００８】
また、請求項４記載の草刈り用回転刃は、請求項１〜３のいずれかの草刈り用回転刃において、第一の面が円盤状の刃板の一方の面より突出しないように取り付けられているものである。
【考案の効果】
【０００９】
請求項１記載の草刈り用回転刃によれば、間欠的に形成された円盤状の刃板の凹部に設けられた切断部は、全て、刈る草に面する側にあって刈る草に面する側の一方の面に略平行な第一の面と、この第一の面と反対に位置する側にあって前記一方の面と反対に位置する他方の面に略平行な第二の面と、前記凹部に臨む第三の面と、前記円盤状の刃板の外周縁部と同面の第四の面とを有し、前記第二の面と前記第三の面とのなす角度はθ1で、  前記第一の面と前記第三の面とのなす角度はθ2であるため、従来のように、鋸の刃の角  度が交互に変化せず、摩耗した刃を切削する際、作業性が良好となる。
【００１０】
請求項２記載の草刈り用回転刃によれば、間欠的に形成された円盤状の刃板の凹部に設けられた切断部は、全て、刈る草に面する側にあって刈る草に面する側の一方の面に略平行な第一の面と、この第一の面と反対に位置する側にあって前記一方の面と反対に位置する他方の面に略平行な第二の面と、前記凹部に臨む第三の面と、前記円盤状の刃板の外周縁部と同面の第四の面とを有し、前記第二の面と前記第三の面とのなす角度は鋭角で、前記第一の面と前記第三の面とのなす角度は鈍角であるため、従来のように、鋸の刃の角度が交互に変化せず、摩耗した刃を切削する際、作業性が良好となり、しかも、草刈りに使用する切断部は第二の面と第三の面とのなす角度は鋭角で、第一の面と第三の面とのなす角度は鈍角であり、この鈍角の部位は前記鋭角の部位より回転方向に対し後方に位置しているため、草の切断に対しては天側に位置する鋭角の部位が先に当たり、地側に位置する鈍角の部位が地面等に接触して摩耗しても切れに支障がなく、切れ味を長期に亘って保持することができる。
【００１１】
また、請求項４記載の草刈り用回転刃によれば、前述した請求項１又は２記載の考案の効果に加え、第一の面が円盤状の刃板の一方の面より突出しないように取り付けられているため、切断部の地面等の接触による損傷を受けにくく、切れ味を長期に亘って保持することができる。
【考案を実施するための最良の形態】
【００１２】
本考案の一実施例である草刈り用回転刃を図面を参照して説明する。
図１及び図２において、１は草刈機で、草刈機１は、原動機（例えば、エンジン）２と、この原動機２によって駆動する伝導軸３を内在する連結杆４と、この連結杆４の先端に回転自在に取り付けられた草刈り用回転刃５とを備えている。６’は、連結杆４の中途に接続された手で掴んで操作しやすいための把持部である。
【００１３】
また、伝導軸３はベアリング６、７により連結杆４内に支持され、伝導軸３による回転はベベルギヤ８を介して草刈り用回転刃５に伝達されるようになっている。９は、ベベルギヤ８を回転自在に保持するベアリングであり、１０、１１は草刈り用回転刃５をサンドイッチ状に保持する保持部材である。１２はベベルギヤ８の先端に設けられた螺軸に取り付けられたナットである。
【００１４】
また、草刈り用回転刃５は、図３乃至図７に示すように、外周部に凹部５１を間欠的に形成すると共に、刈る草に面する側（例えば、図２の地面Ｇに面する地側）の一方の面５２ａと、この一方の面５２ａと反対に位置する他方の面５２ｂを有する円盤状の刃板５２を備えている。
５３は切断部で、切断部５３は、凹部５１の対向する縁部５１Ａ、５１Ｂの内、円盤状の刃板５２の回転方向（図４参照）に対し後方に位置する縁部５１Ｂに設けられたもので、縁部５１Ｂに設けられた切断部５３は、例えば、縁部５１Ｂにろう付けされた超硬合金製のチップである。また、５４、５５は孔で、孔５４は取付用孔、孔５５は重量軽減用孔である。
【００１５】
また、間欠的に形成された凹部５１に設けられた切断部（例えば、超硬合金製のチップ５３）は、全て、図５に示すように、刈る草に面する側にあって一方の面５２ａに略平行な第一の面Ａと、この第一の面Ａと反対に位置する側にあって他方の面５２ｂに略平行な第二の面Ｂと、凹部５２に臨む第三の面Ｃと、円盤状の刃板５２の外周縁部と同面の第四の面Ｄとを有し、第二の面Ｂと第三の面Ｃとのなす角度はθ1 （θ1 は、例えば、鋭角）で、第一の面Ａと第三の面Ｃとのなす角度はθ2 （θ2 は、例えば、鈍角）であり、このθ2 （θ2 は、例えば、鈍角）の部位はθ1 （θ1 は、例えば、鋭角）の部位より回転方向に対し後方に位置している。
【００１６】
従って、この実施例の草刈り用回転刃５によれば、間欠的に形成された円盤状の刃板５２の凹部５１に設けられた切断部５３は、全て、刈る草に面する側にあって刈る草に面する側の一方の面５２ａに略平行な第一の面Ａと、この第一の面Ａと反対に位置する側にあって一方の面５２ａと反対に位置する他方の面５２ｂに略平行な第二の面Ｂと、凹部５１に臨む第三の面Ｃと、円盤状の刃板５２の外周縁部と同面の第四の面Ｄとを有し、第二の面Ｂと第三の面Ｃとのなす角度はθ1 （θ1 は、例えば、鋭角）で、第一の面Ａと第三の面Ｃとのなす角度はθ2 （θ2 は、例えば、鈍角）であるため、従来のように、鋸の刃の角度が交互に変化せず、摩耗した刃を切削する際、作業性が良好となり、しかも、草刈りに使用する切断部５３は第二の面Ｂと第三の面Ｃとのなす角度θ1を鋭角、第一の面Ａ  と第三の面Ｃとのなす角度θ2を鈍角とすれば、この鈍角の部位は前記鋭角の部位より円  盤状の刃板５２の回転方向に対し後方に位置しているため、草の切断に対しては天側に位置する鋭角の部位が先に当たり、地側に位置する鈍角の部位が地面等に接触して摩耗しても切れに支障がなく、切れ味を長期に亘って保持することができる。
また、切断部５３が摩耗した場合、グラインダー等で摩耗した切断部５３を切削す  る場合、従来のように、鋸の刃が交互に外側に曲がっている「あさり」を有していないため、切削方向が同じため、作業性も良い。
【００１７】
なお、本実施例では、図２、図５、図６及び図７に示すように、切断部（例えば、超硬合金製のチップ）５３の第一の面Ａが円盤状の刃板５２の一方の面５２ａよりやや突出するように設けられているが、本考案にあってはこれに限らず、図示しないが、第一の面Ａが円盤状の刃板５２の一方の面５２ａより突出しないように取り付けられているようにしても良い。切断部（例えば、超硬合金製のチップ）５３の第一の面Ａが円盤状の刃板５２の一方の面５２ａより突出しないように取り付けられていると、地面等の接触による損傷を切断部５３が受けにくく、切れ味を長期に亘って保持することができる。
【図面の簡単な説明】
【００１８】
【図１】図１は、本考案の一実施例の草刈り用回転刃を用いた草刈機の使用状態の概略的斜視図である。
【図２】図２は、図１の一部を切断して示す概略的一部断面図である。
【図３】図３は、図１の草刈り用回転刃の概略的平面図である。
【図４】図４は、図３の一部を拡大して示す概略的一部拡大平面図である。
【図５】図５は、図４の概略的正面図である。
【図６】図６は、図４の６−６線による概略的断面図である。
【図７】図７は、図４の７−７線による概略的断面図である。
【符号の説明】
【００１９】
５    …草刈り用回転刃
５１  …凹部
５２ａ…一方の面
５２ｂ…他方の面
５２  …円盤状の刃板
５３  …切断部
Ａ    …第一の面
Ｂ    …第二の面
Ｃ    …第三の面
Ｄ    …第四の面
【図１】
0003133565.tif 000003
【図２】
0003133565.tif 000004
【図３】
0003133565.tif 000005
【図４】
0003133565.tif 000006
【図５】
0003133565.tif 000007
【図６】
0003133565.tif 000008
【図７】
0003133565.tif 000009
【手続補正書】
【提出日】平成19年4月26日(2007.4.26)
【手続補正１】
【補正対象書類名】実用新案登録請求の範囲
【補正対象項目名】全文
【補正方法】変更
【補正の内容】
【実用新案登録請求の範囲】
【請求項１】
外周部に凹部を間欠的に形成すると共に、刈る草に面する側の一方の面と、この一方
の面と反対に位置する他方の面を有する円盤状の刃板と、
前記凹部の対向する縁部の内、前記円盤状の刃板の回転方向に対し後方に位置する前
記縁部に設けられた切断部と、
間欠的に形成された前記凹部に設けられた切断部は、全て、刈る草に面する側にあっ
て前記一方の面に略平行な第一の面と、この第一の面と反対に位置する側にあって前記他
方の面に略平行な第二の面と、前記凹部に臨む第三の面と、前記円盤状の刃板の外周縁部
と同面の第四の面とを有し、前記第二の面と前記第三の面とのなす角度は鋭角で、前記第
一の面と前記第三の面とのなす角度は鈍角であり、この鈍角の部位は前記鋭角の部位より
前記回転方向に対し後方に位置している
ことを特徴とする草刈り用回転刃。
【請求項２】
縁部に設けられた切断部は、前記縁部にろう付けされた超硬合金製のチップであるこ
とを特徴とする請求項１記載の草刈り用回転刃。
【請求項３】
第一の面が円盤状の刃板の一方の面より突出しないように取り付けられていることを
特徴とする請求項１〜２のいずれかの草刈り用回転刃。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
請求項１記載の草刈り用回転刃は、外周部に凹部を間欠的に形成すると共に、
刈る草に面する側の一方の面と、この一方の面と反対に位置する他方の面を有する円盤状
の刃板と、前記凹部の対向する縁部の内、前記円盤状の刃板の回転方向に対し後方に位置
する前記縁部に設けられた切断部と、間欠的に形成された前記凹部に設けられた切断部は
、全て、刈る草に面する側にあって前記一方の面に略平行な第一の面と、この第一の面と
反対に位置する側にあって前記他方の面に略平行な第二の面と、前記凹部に臨む第三の面
と、前記円盤状の刃板の外周縁部と同面の第四の面とを有し、前記第二の面と前記第三の
面とのなす角度は鋭角で、前記第一の面と前記第三の面とのなす角度は鈍角であり、この
鈍角の部位は前記鋭角の部位より前記回転方向に対し後方に位置しているものである。
【手続補正４】
【補正対象書類名】明細書
【補正対象項目名】０００７
【補正方法】変更
【補正の内容】
【０００７】
また、請求項２記載の草刈り用回転刃は、請求項１記載の草刈り用回転刃において、縁部に設けられた切断部は、前記縁部にろう付けされた超硬合金製のチップである。
【手続補正５】
【補正対象書類名】明細書
【補正対象項目名】０００８
【補正方法】変更
【補正の内容】
【０００８】
また、請求項３記載の草刈り用回転刃は、請求項１〜２のいずれかの草刈り用回転刃
において、第一の面が円盤状の刃板の一方の面より突出しないように取り付けられている
ものである。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項１記載の草刈り用回転刃によれば、間欠的に形成された円盤状の刃板の凹部に
設けられた切断部は、全て、刈る草に面する側にあって刈る草に面する側の一方の面に略
平行な第一の面と、この第一の面と反対に位置する側にあって前記一方の面と反対に位置
する他方の面に略平行な第二の面と、前記凹部に臨む第三の面と、前記円盤状の刃板の外
周縁部と同面の第四の面とを有し、前記第二の面と前記第三の面とのなす角度は鋭角で、
前記第一の面と前記第三の面とのなす角度は鈍角であるため、従来のように、鋸の刃の角
度が交互に変化せず、摩耗した刃を切削する際、作業性が良好となり、しかも、草刈りに
使用する切断部は第二の面と第三の面とのなす角度は鋭角で、第一の面と第三の面とのな
す角度は鈍角であり、この鈍角の部位は前記鋭角の部位より回転方向に対し後方に位置し
ているため、草の切断に対しては天側に位置する鋭角の部位が先に当たり、地側に位置す
る鈍角の部位が地面等に接触して摩耗しても切れに支障がなく、切れ味を長期に亘って保
持することができる。
【手続補正８】
【補正対象書類名】明細書
【補正対象項目名】００１１
【補正方法】変更
【補正の内容】
【００１１】
また、請求項３記載の草刈り用回転刃によれば、前述した請求項１記載の考案の効果に加え、第一の面が円盤状の刃板の一方の面より突出しないように取り付けられているため、切断部の地面等の接触による損傷を受けにくく、切れ味を長期に亘って保持することができる。
【手続補正９】
【補正対象書類名】図面
【補正対象項目名】図７
【補正方法】変更
【補正の内容】
【図７】
0003133565.tif 000010